(57)【要約】【課題】生育した稲に対する追肥作業は、手作業による散布に頼るしかなく、作業がきつく、作業能率が極端に悪い。この追肥作業の機械化を実現する。【解決手段】  背面に施肥機構取付部と、走行用エンジンで駆動される駆動軸１５を備え、田植え後の苗が繁殖した水田を走行可能とした走行機体１と、前記走行機体の所定の高さに設けた取付部に連結装着される施肥機構とで構成されるものであって、施肥機構が、走行機体の取付部に連結固定される基台部２と、基台部上に立設され下方に肥料供給口を備えたホッパー３２を有する肥料供給部３と、肥料供給口に臨設して、回転羽根で粒状の肥料を所定範囲に飛散させる肥料飛散部４と、前記駆動軸と連結して回転羽根の回転駆動する駆動部５とを備えてなる。【選択図】図１
0003125372.tif 000002
【実用新案登録請求の範囲】
【請求項１】
背面に施肥機構取付部と、走行用エンジンで駆動される駆動軸を備え、田植え後の苗が繁殖した水田を走行可能とした走行機体と、前記走行機体の所定の高さに設けた取付部に連結装着される施肥機構とで構成されるものであって、施肥機構が、走行機体の取付部に連結固定される基台部と、基台部上に立設され下方に肥料供給口を備えたホッパーを有する肥料供給部と、肥料供給口に臨設して、回転羽根で粒状の肥料を所定範囲に飛散させる肥料飛散部と、前記駆動軸と連結して回転羽根の回転駆動する駆動部とを備えてなることを特徴とする水田作業機。
【請求項２】
粒状肥料供給部の肥料供給口の開口調整を行う調整板と、調整板の操作杆を設けた請求項１記載の水田作業機。
【請求項３】
ホッパー部の下方周囲部分に設けた上方固定円板と、前記上方固定円板との間に肥料供給口が位置するように設けた下方回転円板と、走行機体側の周面を塞いだ固定閉塞板と、下方回転円板の上面に設けた羽根とで肥料飛散部を構成した形成した請求項１又は２記載の水田作業機。
【請求項４】
基台又は機体に設けた軸受部と下方回転円板を接続した減速歯車部間に回転軸を架設すると共に、回転軸と駆動軸間に伝達チェーンベルトを巻回して駆動部を構成した請求項３記載の水田作業機。
【考案の詳細な説明】
【技術分野】
【０００１】
本考案は、ある程度稲が生育した水田に対して、粒状（ペレット体）の肥料や土壌改良剤を大量に散布するための水田作業機に関するものである。
【背景技術】
【０００２】
水田に施肥を行なう水田作業機は、特許文献１，２に記載されているように、田植え装置を備えている田植機体に施肥装置が付設されているものである。
【０００３】
また施肥装置は、肥料ホッパーからの肥料を繰り出し機構で順次供給管に供給すると共に、送風機による送風で水田の水面近傍の供給管の端部まで送り、肥料の散布を実施している。
【０００４】
又水田の施肥は前記の田植え時ばかりではなく、特に有機栽培の場合には、田植え後の１〜２カ月後に追肥を行なっている。この追肥作業は、前記の施肥装置付き田植え機では実施できないので、粒状（ペレット状）の肥料や土壌改良材等を手作業で散布しているものである。
【０００５】
【特許文献１】特開平１０−３２７６３４号公報
【特許文献２】特開２００４−２９０１１６号公報
【考案の開示】
【考案が解決しようとする課題】
【０００６】
前記のとおり水田の追肥作業は、特許文献１，２で開示している水田作業機では、苗が生育した場合に田植え機構が邪魔になって水田内走行が困難であり、使用できない。また仮に田植え機構を取外したとしても、施肥装置が本来水田内の溝きり部への施肥を目的として構成されていないものであるから、追肥の散布作業には全く適さないものである。
【０００７】
従って従前に於いては、手作業による散布に頼るしかなく、作業がきつく、作業能率が極端に悪かったものである。
【０００８】
そこで本考案は、追肥作業の機械化を実現する新規な水田作業機を提案したものである。
【課題を解決するための手段】
【０００９】
本考案に係る水田作業機は、背面に施肥機構取付部と、走行用エンジンで駆動される駆動軸を備え、田植え後の苗が繁殖した水田を走行可能とした走行機体と、前記走行機体の所定の高さに設けた取付部に連結装着される施肥機構とで構成されるものであって、施肥機構が、走行機体の取付部に連結固定される基台部と、基台部上に立設され下方に肥料供給口を備えたホッパーを有する肥料供給部と、肥料供給口に臨設して、回転羽根で粒状の肥料を所定範囲に飛散させる肥料飛散部と、前記駆動軸と連結して回転羽根の回転駆動する駆動部とを備えてなることを特徴とするものである。
【００１０】
而して走行機体の取付部に施肥機構の基台部を連結固定すると、施肥機構全体が走行機体に対して腰高に取り付けられるので、走行機体の水田内走行は容易に行うことができ、ホッパー内に所望の粒状肥料（ペレット体）を収納し、水田走行と同時に駆動軸の回転で肥料供給部の回転羽根を回転させ、ホッパーから回転羽根部分に落下した粒状肥料を適宜な範囲に飛ばして散布するものである。
【００１１】
また本考案（請求項２）は、前記水田作業機において、粒状肥料供給部の肥料供給口の開口調整を行う調整板と、調整板の操作杆を設けたものである。
【００１２】
肥料の散布は、回転羽根の回転と走行機体の速度が同期して行なわれるので、肥料供給口を所望の開口程度を設定すると、圃場の条件に対応した走行（変速走行）でも、前記の設定に一致した量の肥料散布ができるものである。
【考案の効果】
【００１３】
本考案の構成は上記の通りであるから、施肥装置が走行機体に腰高に装着され、稲が生育している水田であっても支障なく走行し、肥料の機械散布を実現することで、水田への追肥作業能率を著しく向上させたものである。
【考案を実施するための最良の形態】
【００１４】
次に本考案の実施の形態について説明する。実施形態に示した水田作業機は、走行機体１と施肥機構とで構成され、施肥機構は、基台部２と、肥料供給部３と、肥料飛散部４と駆動部５で構成される。
【００１５】
走行機体１は、従前の田植え機の走行機体と同様で、水田走行用車輪１１を備えた本体１２に走行用エンジン１３を備えると共に、所定の操向機構を備え、特に本体１２の背面に施肥機構を装着する取付部１４を上下左右４箇所に設けたものである。
【００１６】
更に走行用エンジン１３で駆動され、水田走行用車輪１１と同期して回転する駆動軸１５を本体１１の背面に突設してなるものである。
【００１７】
基台部２は、走行機体１の上方左右の取付部１４に連結する下方基台２１と、下方基台を斜めに支持して下方左右の取付部１４に連結する支持腕２２と、下方基台２１で支持した上方基台２３で形成される。
【００１８】
肥料供給部３は、上方基台２３に直立させた支持板３１でホッパー３２を所定高さで支持し、ホッパー３２の下方の走行機体側に肥料供給口３３を設けると共に、前記肥料供給口３３の開口調整を行う調整板３４を設け、調整板３４には操作杆３５を付設してなる。
【００１９】
肥料飛散部４は、間に肥料供給口３３が位置するように上下に配置した上方固定円板４１と下方回転円板４２と、上方固定円板４１と連結固定されて走行機体側の周面を塞いだ固定閉塞板４３と、下方回転円板４２の上面に設けた羽根４４とで構成される。また下方回転円板４２は、後述する駆動部５の出力軸５１と連結され、所定の回転をなすものである。
【００２０】
また羽根４４は、回転方向に対して凹面となる湾曲面に形成し、粒状肥料（ペレット体）の確実な飛散を実現しているものである。
【００２１】
駆動部５は、上方基台２３又は走行機体１の本体１２に設けた軸受部５２に一端を軸支される回転軸５３と、前記の下方回転円板４２と接続する出力軸５１と、回転軸５３の回転入力を受け、出力軸５１に回転出力を行なう減速歯車部５４と、回転軸５３と駆動軸１５の間に巻回した伝達チェーンベルト５５で構成されるものである。
【００２２】
而して走行機体１の背面の上下４箇所の取付部１４に、施肥機構の下方基台２１と支持腕２２を連結固定して、施肥機構全体を走行機体１の本体に組み込み、駆動軸１５と回転軸５３との間に伝達チェーンベルト５５を装着し、また特に軸受部５２を機体側に設けている場合には、回転軸５３を軸受部５２に装着する。
【００２３】
そこで走行機体１を走行させると、走行（車輪１１の回転駆動）と同時に駆動軸１５が回転し、前記回転は、回転軸５３、減速歯車部５４、出力軸５１と伝えられ、下方回転円板４２を回転させる。勿論駆動軸１５にクラッチ機構を付設して、必要に応じて回転の断続をできるようにしても良い。
【００２４】
前記の機体走行において、肥料を散布したい場合には、操作杆３５を操作して肥料供給口３３を所定範囲で開口するもので、肥料供給口３３の開口によってホッパー３２内の粒状肥料Ａが下方回転円板４２上に落下し、回転する羽根４４で走行機体後方に散布されることになる。
【００２５】
しかも前記の散布量は、走行機体の進行速度に対応するものであるから、圃場に合った任意の速度で運転しても、肥料の散布密度は一定となるものである。
【００２６】
このように本考案の水田作業機は、稲がある程度育った圃場において、大量の肥料散布を機械散布で行なうことができたものである。
【図面の簡単な説明】
【００２７】
【図１】本考案の実施形態の全体斜視図。
【図２】同施肥機構の側面図。
【図３】同施肥機構の取り付け部分の斜視図。
【図４】同施肥機構の動作説明図（斜視図）。
【図５】同施肥機構の動作説明図（断面図）。
【符号の説明】
【００２８】
１        走行機体
１１      水田走行用車輪
１２      本体
１３      走行用エンジン
１４      取付部
１５      駆動軸
２        基台部
２１      下方基台
２２      支持腕
２３      上方基台
３        肥料供給部
３１      支持板
３２      ホッパー
３３      肥料供給口
３４      調整板
３５      操作杆
４        肥料飛散部
４１      上方固定円板
４２      下方回転円板
４３      固定閉塞板
４４      羽根
５        駆動部
５１      出力軸
５２      軸受部
５３      回転軸
５４      減速歯車部
５５      伝達チェーンベルト
【図１】
0003125372.tif 000003
【図２】
0003125372.tif 000004
【図３】
0003125372.tif 000005
【図４】
0003125372.tif 000006
【図５】
0003125372.tif 000007